【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
物理層と媒体アクセス制御（ＭＡＣ）層、すなわち各チャネル特定のサイズのデータ転送ブロックの利用により複数のトランスポートチャネル経由で前記物理層にデータを提供する媒体アクセス制御（ＭＡＣ）層とを有し、各トランスポートチャネルが一組の論理チャネルと関連づけられ、少なくとも１本のトランスポートチャネルについて論理チャネルのセットが互いに異なる論理タイプの少なくとも２つの論理チャネルを有するＣＤＭＡ通信システムのための無線送受信ユニット（ＷＴＲＵ）であって、前記ＷＴＲＵが、
互いに異なる２つのタイプの論理チャネルを含む論理チャネルセットに関連した特定のトランスポートチャネルについて、固定のＭＡＣヘッダビットサイズをＭモジュロＮ（Ｎは３より大きい選択された整数、Ｍは０より大きくＮ未満の整数である）に等しい状態で、固定のＭＡＣヘッダビットサイズと前記セットの中の各論理チャネルとを関連づけるように構成されたプロセッサ手段を含み、
前記プロセッサ手段が、各トランスポートブロックのための論理チャネルデータが均等に分割可能なＮのビットサイズである状態で、前記特定のトランスポートチャネルに関連した一組の論理チャネルからの伝送のための論理チャネルデータを有する論理チャネルを選択するように構成されており、
前記プロセッサが、前記特定のトランスポートチャネル経由で前記ＭＡＣ層から前記物理層にデータの複数のトランスポートブロックとして前記論理チャネルデータを提供するように構成された前記プロセッサ手段であって、データの各トランスポートブロックがＭＡＣヘッダおよび前記トランスポート特定チャネルに対する論理チャネルデータを含み、データの各トランスポートブロックが有限の数のトランスポートブロック（ＴＢ）ビットサイズの一つ、すなわち、同一のトランスポートチャネルデータおよび同一の被選択論理チャネルデータについてのデータを伝送しているトランスポートブロックに対する第１の固定のサイズに設定した第１のＭＡＣヘッダの第１のビットサイズ（前記ＭＡＣヘッダの前記第１のビットサイズに前記論理チャネルデータの前記第１のビットサイズを加えたものが前記ＴＢビットサイズの１つに等しい）と、異なるトランスポートチャネルデータまたは異なる被選択論理チャネルデータについてのデータを伝送しているトランスポートブロックに対する第２の固定サイズに設定した第２のＭＡＣヘッダの第２のビットサイズ（ＭＡＣヘッダの第２のビットサイズに異なる論理チャネルデータの第２のビットサイズを加えたものが前記ＴＢのビットサイズのうち１つに等しい）とを含む有限の数のトランスポートブロック（ＴＢ）ビットサイズの１つのサイズであるように構成されたプロセッサ手段である
ことを特徴とするＣＤＭＡ通信システムのための無線送受信ユニット（ＷＴＲＵ）。
【請求項２】
前記プロセッサが、固定のＭＡＣヘッダビットサイズを、論理チャネルを選択するとともに論理チャネルデータを提供するために各論理チャネルに関連づけるように構成されており、Ｎが８に等しく論理データがデータオクテット構成の無線リンク制御プロトコルデータユニット（ＲＬＣＰＤＵ）である請求項１記載の無線送受信ユニット（ＷＴＲＵ）。
【請求項３】
前記プロセッサが、固定のＭＡＣヘッダビットサイズを、論理チャネルを選択するとともに論理チャネルデータを提供するために各論理チャネルに関連づけるように構成されており、少なくとも２本の互いに異なるタイプの論理チャネルを含む論理チャネルセットに関連した前記少なくとも１本のトランスポートチャネルについて各ＭＡＣヘッダが論理チャネルデータに関連した被選択論理チャネルのタイプを特定するデータのためのデータフィールドを有し、前記データフィールドのビットサイズが前記ＭＡＣヘッダのモジュロＮのビットサイズＭを定めるように選んである請求項１記載の無線送受信ユニット（ＷＴＲＵ）。
【請求項４】
前記プロセッサが、固定のＭＡＣヘッダビットサイズを、論理チャネルを選択するとともに論理チャネルデータを提供するために各論理チャネルに関連づけるように構成されており、前記データフィールドのビットサイズを前記少なくとも１本のトランスポートチャネルについてトランスポートチャネルと論理チャネルとの組合せのペイロード要求が最も制限された論理チャネルで最短になるように選択した請求項３記載の無線送受信ユニット（ＷＴＲＵ）。
【請求項５】
前記プロセッサが、固定のＭＡＣヘッダビットサイズを、論理チャネルを選択するとともに論理チャネルデータを提供するために各論理チャネルに関連づけるように構成されており、少なくとも１本のトランスポートチャネルに関連したセットの一つ以上の論理チャネルのＭＡＣヘッダの前記データフィールドに最短のデータフィールドビットサイズを提供し前記一つ以上の論理チャネルが前記少なくとも一つのトランスポートチャネルと関連した前記論理チャネルセットの中の他のどの論理チャネルよりも高い頻度で前記少なくとも一つのトランスポートチャネルと集合的に用いられるようにする請求項３記載の無線送受信ユニット（ＷＴＲＵ）。
【請求項６】
前記プロセッサが、固定のＭＡＣヘッダビットサイズを、論理チャネルを選択するとともに前記論理チャネルデータを提供するために各論理チャネルに関連づけるように構成されており、少なくとも４本の互いに異なるタイプの論理チャネルを有する一組の論理チャネルに少なくとも２本のトランスポートチャネルが関連づけられており、少なくとも２本のトランスポートチャネルについてそれぞれの論理チャネルセットの中の各論理チャネルに関連した固定のＭＡＣヘッダビットサイズを各固定のＭＡＣヘッダビットサイズがＭモジュロＮ（ＭはＮ未満の整数であり、ＮとＭとは互いに異なるトランスポートチャネルに関連したＭＡＣヘッダごとに互いに異なっていても差し支えない）に等しくなるように選んである請求項１記載の無線送受信ユニット（ＷＴＲＵ）。
【請求項７】
前記プロセッサが、固定のＭＡＣヘッダビットサイズを、論理チャネルを選択するとともに、Ｎが８に等しく論理データがデータオクテット構成の無線リンク制御プロトコルデータユニット（ＲＬＣＰＤＵ）の形で前記論理チャネルデータを提供するために各論理チャネルと関連づけるように構成されている請求項６記載の無線送受信ユニット（ＷＴＲＵ）。
【請求項８】
前記プロセッサが、固定のＭＡＣヘッダビットサイズを、論理チャネルを選択するとともに前記論理チャネルデータを提供するために各論理チャネルと関連づけるように構成されており、前記少なくとも２本のトランスポートチャネルが、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）および共通トラフィックチャネル（ＣＴＣＨ）を含む１セットの論理チャネルと関連づけられた順方向アクセスチャネル（ＦＡＣＨ）と、
前記ＤＴＣＨ、前記ＤＣＣＨ、前記ＳＨＣＣＨおよび前記ＣＣＣＨを含む１セットの論理チャネルと関連づけられたランダムアクセスチャネル（ＲＡＣＨ）と
を含む請求項７記載の無線送受信ユニット（ＷＴＲＵ）。
【請求項９】
前記プロセッサが、固定のＭＡＣヘッダビットサイズを、論理チャネルを選択するとともに前記論理チャネルデータを提供するために各論理チャネルに関連づけるように構成されており、前記ＦＡＣＨトランスポートチャネル用の前記論理チャネルに関連づけられた各ＭＡＣヘッダについてＭが３に等しく、前記ＲＡＣＨトランスポートチャネル用の前記論理チャネルに関連づけられた各ＭＡＣヘッダについてＭが２に等しい請求項８記載の無線送受信ユニット（ＷＴＲＵ）。
【請求項１０】
前記プロセッサが、固定のＭＡＣヘッダビットサイズを、論理チャネルを選択するとともに前記論理チャネルデータを提供するために各論理チャネルに関連づけるように構成されており、前記ＦＡＣＨトランスポートチャネルおよびＲＡＣＨトランスポートチャネルについて、各ＭＡＣヘッダが前記トランスポートチャネルデータに関連づけられた被選択論理チャネルのタイプの特定のためのデータ用のＴＣＴＦデータフィールドを有し、前記ＴＣＴＦフィールドのビットサイズを前記ＭＡＣヘッダのモジュロＮのビットサイズＭに定めるように選んだ請求項８記載の無線送受信ユニット（ＷＴＲＵ）。
【請求項１１】
前記プロセッサが、固定のＭＡＣヘッダビットサイズを、論理チャネルを選択するとともに前記論理チャネルデータを提供するために各論理チャネルに関連づけるように構成されており、前記ＣＣＣＨ、ＣＴＣＨ、ＳＨＣＣＨおよびＢＣＣＨ論理チャネルに関連づけられたＦＡＣＨ  ＭＡＣヘッダについて前記ＴＣＴＦデータフィールドビットサイズが３であり、前記ＤＣＣＨおよびＤＴＣＨ論理チャネルに関連づけられた前記ＦＡＣＨ  ＭＡＣヘッダについてＴＣＴＦデータフィールドビットサイズが５であり、前記ＣＣＣＨおよびＳＨＣＣＨ論理チャネルに関連づけられた前記ＲＡＣＨ  ＭＡＣヘッダについて前記ＴＣＴＦデータフィールドビットサイズが２であり、前記ＤＣＣＨおよびＤＴＣＨ論理チャネルに関連づけられた前記ＲＡＣＨ  ＭＡＣヘッダについて前記ＴＣＴＦデータフィールドビットサイズが４である請求項１０記載の無線送受信ユニット（ＷＴＲＵ）。
【請求項１２】
前記プロセッサが、固定のＭＡＣヘッダビットサイズを、論理チャネルを選択するとともに前記論理チャネルデータを提供するために各論理チャネルに関連づけるように構成されており、前記ＦＡＣＨトランスポートチャネル用の前記論理チャネルに関連づけられた各ＭＡＣヘッダについてＭが３に等しく、前記ＲＡＣＨトランスポートチャネル用の前記論理チャネルに関連づけられた各ＭＡＣヘッダについてＭが２に等しい請求項１１記載の無線送受信ユニット（ＷＴＲＵ）。
【請求項１３】
前記プロセッサが、固定のＭＡＣヘッダビットサイズを、論理チャネルを選択するとともに前記論理チャネルデータを提供するために各論理チャネルに関連づけるように構成されており、互いに異なるタイプの少なくとも二つの論理チャネル１セットに関連づけられた各トランスポートチャネルについて、それぞれの論理チャネルのセットの中の各論理チャネルに関連づけられた固定のＭＡＣヘッダビットサイズを、各固定のＭＡＣヘッダビットサイズがＭモジュロＮ（ＭはＮ未満の自然数であり、Ｍは互いに異なるトランスポートチャネルに関連づけられたＭＡＣヘッダごとに互いに異なっていても差し支えない）となるように選んだ請求項１記載の無線送受信ユニット（ＷＴＲＵ）。
【請求項１４】
前記プロセッサが、固定のＭＡＣヘッダビットサイズを、論理チャネルを選択するとともに前記論理チャネルデータを提供するために各論理チャネルに関連づけるように構成されており、Ｎが８に等しく、前記論理データがデータオクテットで構成された無線リンク制御プロトコルデータユニット（ＲＬＣ  ＰＤＵ）の形である請求項１３記載の無線送受信ユニット（ＷＴＲＵ）。
【請求項１５】
前記プロセッサが、固定のＭＡＣヘッダビットサイズを、論理チャネルを選択するとともに前記論理チャネルデータを提供するために各論理チャネルに関連づけるように構成されており、少なくとも一つのトランスポートチャネルを含み、それに関連づけられたＭＡＣヘッダビットサイズについてのＭの値が、少なくとも一つの他のトランスポートチャネルについての前記固定のＭＡＣヘッダビットサイズのＭの値とは異なる請求項１４記載の無線送受信ユニット（ＷＴＲＵ）。
【請求項１６】
前記プロセッサが、固定のＭＡＣヘッダビットサイズを、論理チャネルを選択するとともに前記論理チャネルデータを提供するために各論理チャネルに関連づけるように構成されており、前記トランスポートチャネルが、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）および共通トラフィックチャネル（ＣＴＣＨ）を含む１セットの論理チャネルに関連づけられた順方向アクセスチャネル（ＦＡＣＨ）と、
前記ＤＴＣＨ、前記ＤＣＣＨ、前記ＳＨＣＣＨおよび前記ＣＣＣＨを含む１セットの論理チャネルに関連づけられたランダムアクセスチャネル（ＲＡＣＨ）と
を含む請求項１５記載の無線送受信ユニット（ＷＴＲＵ）。
【請求項１７】
前記プロセッサが、固定のＭＡＣヘッダビットサイズを、論理チャネルを選択するとともに前記論理チャネルデータを提供するために各論理チャネルに関連づけるように構成されており、前記ＦＡＣＨトランスポートチャネル用の前記論理チャネルに関連づけられた各ＭＡＣヘッダについてＭが３に等しく、前記ＲＡＣＨトランスポートチャネル用の論理チャネルに関連づけられた各ＭＡＣヘッダについてＭが２に等しい請求項１６記載の無線送受信ユニット（ＷＴＲＵ）。
【請求項１８】
前記プロセッサが、固定のＭＡＣヘッダビットサイズを、論理チャネルを選択するとともに前記論理チャネルデータを提供するために各論理チャネルに関連づけるように構成されており、前記ＦＡＣＨトランスポートチャネルおよびＲＡＣＨトランスポートチャネルについて、各ＭＡＣヘッダがトランスポートチャネルデータに関連づけられた被選択論理チャネルのタイプを特定するデータのＴＣＴＦデータフィールドを有し、前記ＴＣＴＦフィールドのビットサイズを前記ＭＡＣヘッダのモジュロＮのビットサイズＭを定めるように選んだ請求項１７記載の無線送受信ユニット（ＷＴＲＵ）。
【請求項１９】
前記プロセッサが、固定のＭＡＣヘッダビットサイズを、論理チャネルを選択するとともに前記論理チャネルデータを提供するために各論理チャネルに関連づけるように構成されており、前記ＣＣＣＨ、ＣＴＣＨ、ＳＨＣＣＨおよびＢＣＣＨ論理チャネルに関連づけられたＦＡＣＨ  ＭＡＣヘッダについて前記ＴＣＴＦデータフィールドのビットサイズが３であり、前記ＤＣＣＨおよびＤＴＣＨ論理チャネルに関連づけられた前記ＦＡＣＨ  ＭＡＣヘッダについて前記ＴＣＴＦデータフィールドのビットサイズが５であり、前記ＣＣＣＨおよびＳＨＣＣＨ論理チャネルに関連づけられたＲＡＣＨ  ＭＡＣヘッダについて前記ＴＣＴＦデータフィールドのビットサイズが２であり、前記ＤＣＣＨおよびＤＴＣＨ論理チャネルに関連づけられたＲＡＣＨ  ＭＡＣヘッダについて前記ＴＣＴＦデータフィールドのビットサイズが４である請求項１８記載の無線送受信ユニット（ＷＴＲＵ）。
【請求項２０】
各チャネルに特定のサイズのデータ転送ブロックを用いて媒体アクセス制御（ＭＡＣ）層が複数のトランスポートチャネル経由で物理層にデータを提供するような物理層およびＭＡＣ層を有し、各トランスポートチャネルが１セットの論理チャネルと関連づけられ、少なくとも一つの転送チャネル用に前記論理チャネルのセットが互いに異なる論理タイプの少なくとも二つの論理チャネルを含むＣＤＭＡ通信システムに用いられるように構成された無線送受信ユニット（ＷＴＲＵ）用の方法であって、
互いに異なる二つのタイプの論理チャネルを含む論理チャネルセットに関連づけられた特定のトランスポートチャネルについて、固定のＭＡＣヘッダビットサイズをＭモジュロＮ（Ｎは３より大きい選択された整数、Ｍは０より大きくＮ未満の整数である）に等しい状態で、固定のＭＡＣヘッダビットサイズと前記セットの中の各論理チャネルとを関連づけるステップと、
各トランスポートブロックのための論理チャネルデータがＮで割り切れるビットサイズを備える状態で、前記特定のトランスポートチャネルに関連づけられた１セットの論理チャネルからのトランスポートのための論理チャネルデータを有する論理チャネルを選択するステップと、
前記特定のトランスポートチャネル経由で前記ＭＡＣ層から前記物理層にデータの複数のトランスポートブロックとして前記論理チャネルデータを提供するステップであって、データの各トランスポートブロックが前記トランスポート特定チャネルに対するＭＡＣヘッダデータおよび論理チャネルデータを含み、データの各トランスポートブロックが有限の数のトランスポートブロック（ＴＢ）ビットサイズの一つ、すなわち、同一のトランスポートチャネルデータおよび同一の被選択論理チャネルデータについてのデータをトランスポートしているトランスポートブロックに対する第１の固定のサイズに設定した第１のＭＡＣヘッダの第１のビットサイズ（前記ＭＡＣヘッダの前記第１のビットサイズに前記論理チャネルデータの前記第１のビットサイズを加えたものが前記ＴＢビットサイズの一つに等しい）と、異なるトランスポートチャネルデータまたは異なる被選択論理チャネルデータについてのデータをトランスポートしているトランスポートブロックに対する第２の固定サイズに設定した第２のＭＡＣヘッダの第２のビットサイズ（ＭＡＣヘッダの第２のビットサイズに異なる論理チャネルデータの第２のビットサイズを加えたものが前記ＴＢのビットサイズのうち一つに等しい）とを含む有限の数のトランスポートブロック（ＴＢ）ビットサイズの一つのサイズであるステップと
を含むことを特徴とする方法。
【請求項２１】
各チャネルに特定のサイズのデータ転送ブロックを用いて媒体アクセス制御（ＭＡＣ）層が複数のトランスポートチャネル（Ｔｒｃｈ）経由で物理層にデータを提供するような物理層およびＭＡＣ層であって、各ＴｒＣＨが１セットの論理チャネルと関連づけられ、少なくとも一つのＴｒＣＨ用に前記論理チャネルのセットが互いに異なる論理タイプの少なくとも二つの論理チャネルを含み、各ＴＢは、データのＮビットグループ（Ｎは３より大きい選択された整数）の論理チャネルについてのデータパケット部分、および前記論理チャネルタイプを反映する選択されたビットサイズのＭＡＣヘッダからなる、物理層およびＭＡＣ層と、
各ＴＢを既定のビット数でパディングするよう構成された物理層プロセッサであって、パディングビットの同じ番号は、同じＴｒＣＨについてのすべてのＴＢに使用され、前期パディングされたＴＢにおけるビットの総数がＮで割り切れる
ことを特徴とするＣＤＭＡ通信のための無線送受信ユニット（ＷＴＲＵ）。
【請求項２２】
前記物理層プロセッサは、パディングビットの既定数で各ＴＢの前記ＭＡＣヘッダをパディングするよう構成され、前記パディングされたＭＡＣヘッダにおけるビットの前記総数は、Ｎで割り切れることを特徴とする請求項２１に記載のＷＴＲＵ。
【請求項２３】
各ＴＢは、データオクテットで構成された無線リンク制御プロトコルデータユニット（ＲＬＣ  ＰＤＵ）の形であるデータの８ビットのグループの論理チャネルについてのデータパケット部分からなり、前記物理層プロセッサは、各ＴＢを既定数のビットでパディングするよう構成され、オクテット整列されたパディングされたＴＢが生成されることを特徴とする請求項２１に記載のＷＴＲＵ。
【請求項２４】
前記物理層プロセッサは、各ＴＢの前記ＭＡＣヘッダを既定数のパディングビットでパディングするよう構成され、前記パディングされたＭＡＣヘッダにおけるビットの総数は８で割り切れることを特徴とする請求項２３に記載のＷＴＲＵ。
【請求項２５】
前記ＴｒＣＨは、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）および共通トラフィックチャネル（ＣＴＣＨ）を含む１セットの論理チャネルと関連づけられた順方向アクセスチャネル（ＦＡＣＨ）と、
前記ＤＴＣＨ、前記ＤＣＣＨ、前記ＳＨＣＣＨおよび前記ＣＣＣＨを含む１セットの論理チャネルと関連づけられたランダムアクセスチャネル（ＲＡＣＨ）と
を含み、前記物理層プロセッサは、前記ＦＡＣＨについての各ＴＢを５ビットパディングし、前記ＲＡＣＨについての各ＴＢを６ビットパディングするよう構成されていることを特徴とする請求項２３に記載のＷＴＲＵ。
【請求項２６】
基地局および前記物理層プロセッサは、ダウンリンク送信についての各ＴＢをパディングするよう構成されていることを特徴とする請求項２５に記載のＷＴＲＵ。
【請求項２７】
ユーザ装置および前記物理層プロセッサは、アップリンク送信についての各ＴＢをパディングするよう構成されていることを特徴とする請求項２５に記載のＷＴＲＵ。
【請求項２８】
物理層およびＭＡＣ層を有する無線送受信ユニット（ＷＴＲＵ）を提供するステップであって、各チャネルに特定のサイズのデータ転送ブロック（ＴＢ）を用いて媒体アクセス制御（ＭＡＣ）層が複数のトランスポートチャネル（ＴｒＣＨ）経由で物理層にデータを提供し、各ＴｒＣＨが１セットの論理チャネルと関連づけられ、少なくとも一つのＴｒＣＨ用に前記論理チャネルのセットが互いに異なる論理タイプの少なくとも二つの論理チャネルを含み、各ＴＢは、データのＮビットグループ（Ｎは３より大きい選択された整数）の論理チャネルについてのデータパケット部分、および前記論理チャネルタイプを反映する選択されたビットサイズのＭＡＣヘッダからなる提供するステップと
ことを特徴とするＣＤＭＡ通信のための方法。
【請求項２９】
各ＴＢの前記ＭＡＣヘッダは、既定数のパディングビットでパディングされ、パディングされたＭＡＣヘッダ内のビットの総数はＮで割り切れることを特徴とする請求項２８に記載の方法。
【請求項３０】
各ＴＢは、データオクテットで構成された無線リンク制御プロトコルデータユニット（ＲＬＣ  ＰＤＵ）の形であるデータの８ビットのグループの論理チャネルについてのデータパケット部分からなり、前記物理層プロセッサは、各ＴＢを既定数のビットでパディングするよう構成され、オクテット整列されたパディングされたＴＢが生成されることを特徴とする請求項２８に記載の方法。
【請求項３１】
各ＴＢの前記ＭＡＣヘッダは、既定数のパディングビットでパディングされ、パディングされたＭＡＣヘッダ内のビットの総数は８で割り切れることを特徴とする請求項３０に記載の方法。
【請求項３２】
前記ＴｒＣＨは、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）および共通トラフィックチャネル（ＣＴＣＨ）を含む１セットの論理チャネルと関連づけられた順方向アクセスチャネル（ＦＡＣＨ）と、
前記ＤＴＣＨ、前記ＤＣＣＨ、前記ＳＨＣＣＨおよび前記ＣＣＣＨを含む１セットの論理チャネルと関連づけられたランダムアクセスチャネル（ＲＡＣＨ）と
を含み、前記物理層プロセッサは、前記ＦＡＣＨについての各ＴＢを５ビットパディングし、前記ＲＡＣＨについての各ＴＢを６ビットパディングするよう構成されていることを特徴とする請求項３０に記載の方法。
【請求項３３】
各ＴＢはダウンリンク送信にパディングされ、基地局により実行されることを特徴とする請求項３２に記載の方法。
【請求項３４】
各ＴＢはアップリンク送信にパディングされ、ユーザ装置により実行されることを特徴とする請求項３２に記載の方法。